(57)【要約】【課題】プリンタ装置において、プリンタのカートリッジの交換後に、自動アライメント調整動作を省くことで、作業待ち時間をなくす。【解決手段】プリンタ装置１は、電源を供給するための電源パワーキー２と、コピーキー２とが同時に押し下げられたときに、印字位置調整部６によるスキャンバックアライメントを禁止する禁止モードを設定するためのフラグをフラグ保持部２２が保持し、カートリッジ５が交換されたときに、フラグ保持部２２が、スキャンバックアライメントを禁止する禁止モードが設定されているフラグを保持しているとき、印字位置調整部６はスキャンバックアライメントを禁止する。これにより、工場出荷前の製品チェック時において不要なスキャンバックアライメントの動作を省くことができるため、作業待ち時間をなくすことができる。【選択図】図１
2006346978.tif 000002
【特許請求の範囲】
【請求項１】
プリンタ装置全体を制御する制御装置と、プリンタ装置を制御するための複数の操作キーと、カートリッジが交換された後に前記カートリッジのアライメント調整を自動的に行う位置調整手段と、を備えたプリンタ装置において、
前記制御装置は、少なくとも装置の工場出荷前の製品チェック時に、前記プリンタ装置に電源を供給するための電源パワーキーと、前記操作キーの中の予め定められた所定のキーとが同時に押し下げられたときに、前記位置調整手段の動作を禁止する禁止モードを設定するためのフラグを保持するフラグ保持部と、
前記カートリッジが交換されたときに、前記フラグをチェックし、前記禁止モードが設定されているとき、前記位置調整手段の動作を禁止し、前記禁止モードが設定されてないとき、前記位置調整手段を動作させる位置調整実行制御手段と、を備え、
工場出荷前の製品チェック時における自動アライメント調整動作を省くことができるようにしたことを特徴とするプリンタ装置。
【請求項２】
プリンタ装置全体を制御する制御装置と、プリンタ装置を制御するための複数の操作キーと、カートリッジが交換された後に前記カートリッジのアライメント調整を自動的に行う位置調整手段と、を備えたプリンタ装置において、
前記制御装置は、  前記操作キーの中の所定のキー操作がなされたときに、前記位置調整手段の動作を禁止する禁止モードが設定されるフラグを保持するフラグ保持部と、前記カートリッジが交換されたときに、前記フラグをチェックし、前記禁止モードが設定されているとき、前記位置調整手段の動作を禁止し、前記禁止モードが設定されてないとき、前記位置調整手段を動作させる位置調整実行制御手段と、を備えたことを特徴とするプリンタ装置。
【請求項３】
前記フラグ保持部は、前記プリンタ装置への電源の供給と、前記操作キーの中の所定のキー操作とが同時になされたときに、前記位置調整手段の動作を禁止する禁止モードが設定されることを特徴とする請求項２に記載のプリンタ装置。
【発明の詳細な説明】
【技術分野】
【０００１】
本発明は、工場出荷前の製品チェック時に、不要な自動アライメント調整動作を省く機能を備えたプリンタ装置に関する。
【背景技術】
【０００２】
プリンタ装置は、カートリッジが交換された後にカートリッジの位置を自動的に調整する自動アライメント調整機能を有している。しかし、工場出荷前の製品チェック時には頻繁にカートリッジを交換する場合があるが、実際には印字しないため自動アライメント調整機能が不要であることが多い。そこで、特定の機能を作動させないために、所定の組み合わせの２つ以上のキーを所定時間以上押した後、電源を再投入すると特殊モードに移行する画像形成装置が知られている。（例えば、特許文献１，２，３参照）。
【特許文献１】特開２００４―２５２０２１号公報
【特許文献２】特開平１１―１５７１６７号公報
【特許文献３】特開平９―２２２９６２号公報
【発明の開示】
【発明が解決しようとする課題】
【０００３】
上記の画像形成装置においては、特定の機能を作動させない特殊モードで作動させることができるが、特殊モードで作動させると特定の機能のみが作動しないだけでなく、他の機能も通常モードとは異なった動作を行うため、特定の機能のみを作動させない状態で通常モードの動作をチェックすることができなかった。その結果、通常モードの動作をチェックするためには、チェック時に不要である特定の機能も作動させなければならず、特定の機能が終了するまで作業待ち時間が生じていた。
【０００４】
本発明は、上記課題を解決するものであって、プリンタ装置のカートリッジの交換後に、自動アライメント調整動作を省くことで、作業待ち時間をなくすことができるプリンタ装置を提供することを目的とする。
【課題を解決するための手段】
【０００５】
上記課題を解決するために、請求項１の発明は、プリンタ装置全体を制御する制御装置と、プリンタ装置を制御するための複数の操作キーと、カートリッジが交換された後にカートリッジのアライメント調整を自動的に行う位置調整手段と、を備えたプリンタ装置において、制御装置は、少なくとも装置の工場出荷前の製品チェック時に、プリンタ装置に電源を供給するための電源パワーキーと、操作キーの中の予め定められた所定のキーとが同時に押し下げられたときに、位置調整手段の動作を禁止する禁止モードを設定するためのフラグを保持するフラグ保持部と、カートリッジが交換されたときに、フラグをチェックし、禁止モードが設定されているとき、位置調整手段の動作を禁止し、禁止モードが設定されてないとき、位置調整手段を動作させる位置調整実行制御手段と、を備え、工場出荷前の製品チェック時における自動アライメント調整動作を省くことができるものである。
【０００６】
また、請求項２の発明は、プリンタ装置全体を制御する制御装置と、プリンタ装置を制御するための複数の操作キーと、カートリッジが交換された後にカートリッジのアライメント調整を自動的に行う位置調整手段と、を備えたプリンタ装置において、制御装置は、操作キーの中の所定のキー操作がなされたときに、位置調整手段の動作を禁止する禁止モードが設定されるフラグを保持するフラグ保持部と、カートリッジが交換されたときに、フラグをチェックし、禁止モードが設定されているとき、位置調整手段の動作を禁止し、禁止モードが設定されてないとき、位置調整手段を動作させる位置調整実行制御手段と、を備えたものである。
【０００７】
前記フラグ保持部は、プリンタ装置への電源の供給と、操作キーの中の所定のキー操作とが同時になされたときに、位置調整手段の動作を禁止する禁止モードが設定されるものとすればよい。
【発明の効果】
【０００８】
請求項１の発明によれば、プリンタ装置に電源を供給するための電源パワーキーと、操作キーの中の予め定められた所定のキーとが同時に押し下げられたときに、位置調整手段の動作を禁止する禁止モードを設定するためのフラグをフラグ保持部が保持し、カートリッジが交換されたときに、フラグ保持部が、前記禁止モードが設定されているフラグを保持しているとき、前記位置調整手段の動作を禁止する。これにより、工場出荷前の製品チェック時に、不要な自動アライメント調整動作を省くことができるため、作業待ち時間をなくすことができる。
【０００９】
請求項２の発明によれば、プリンタ装置に電源が供給された後において、操作キーの中の予め定められた所定のキーが押し下げられたときに、位置調整手段の動作を禁止する禁止モードを設定するためのフラグをフラグ保持部が保持し、カートリッジが交換されたときに、フラグ保持部が、前記禁止モードが設定されているフラグを保持しているとき、前記位置調整手段の動作を禁止する。これにより、プリンタ装置に電源が供給された後であっても、操作キーの中の予め定められた所定のキーが押し下げることにより、不要な自動アライメント調整動作を省くことができるため、作業待ち時間をなくすことができる。
【発明を実施するための最良の形態】
【００１０】
以下、本発明の一実施形態に係るプリンタ装置について、図面を参照して説明する。図１は、本発明の実施形態に係るプリンタ装置の概略構成装置を示す。プリンタ装置１は、プリンタ装置１に電源を供給するための電源パワーキー２と、プリンタ装置１を制御するための複数の操作キーと、カートリッジ５と、原稿台７とを備える。操作キーは、原稿を複写するためのコピーキー３と、原稿イメージを読み取るスキャンキー４と、を含む。印字位置調整部６は、位置調整手段として、カートリッジ５が交換されたとき、印字位置のずれを防止するためにカートリッジ５の位置を調整する。原稿台７には印字用紙８がセットされ、印字された印字用紙８は排紙口９から排出される。
【００１１】
図２は、本発明の実施形態に係るプリンタ装置のブロック構成を示す。プリンタ装置１は、プリンタ装置全体を制御する制御部２１と、ユーザから操作がなされる操作部２３と、印字するためのカートリッジ５を備える。操作部２３は、電源パワーキー２と、操作キーとしてコピーキー３と、スキャンキー４を備える。カートリッジセンサ２４は、カートリッジ５が交換されたことを検知し、制御部２１へ通知する。制御部２１は、位置調整手段として、カートリッジセンサ２４からの通知を受けて、印字位置調整部６がカートリッジ５の位置を調整するよう制御する。以下、カートリッジ５の交換後に、印字位置調整部６がカートリッジ５の位置を調整することをスキャンバックアライメントという。制御部２１は、操作者からの操作によって、スキャンバックアライメントを動作させるか否かを制御する位置調整実行制御手段を備える。制御部２１は、フラグ保持部２２を備え、フラグ保持部２２は、操作者によって電源パワーキー２と、予め定められた特定のキー、例えば、コピーキー３とが同時に押し下げられたときに、スキャンバックアライメントを禁止する禁止モードを設定するためのフラグを保持する。制御部２１は、位置調整実行制御手段を実行する際にフラグ保持部２２が保持するフラグを参照する。
【００１２】
図３は、本発明の実施形態に係るプリンタ装置の動作フローを示す。操作者は電源パワーキー２を押し下げてプリンタ装置に電源を供給する（Ｓ１０１）。制御部２１は、ステップＳ１０１で電源が供給されたときに、電源パワーキー２と所定のキーとしてコピーキー３とが同時に押し下げられたか否かを判断する（Ｓ１０２）。電源パワーキー２とコピーキー３とが同時に押し下げられたとき、制御部２１はフラグ保持部２２にフラグ値として「１」を保持させる。ここで、フラグ値「１」は、スキャンバックアライメントを禁止する禁止モードであることを意味する。ステップＳ１０２に戻って、電源パワーキー２のみ押し下げられたとき、制御部２１はフラグ保持部２２にフラグ値として「０」を保持させる。ここで、フラグ値「０」は、スキャンバックアライメントを実行するモードであることを意味する。
【００１３】
制御部２１は、カートリッジセンサ２４がカートリッジ５の交換を検知したか否かの通知を受ける。制御部２１は、カートリッジセンサ２４からカートリッジ５が交換された通知を受けないときは、印字位置調整部６にスキャンバックアライメントを実行させずに終了する。カートリッジセンサ２４からカートリッジ５が交換された通知を受けたとき、カートリッジセンサ２４は、カートリッジ５が交換されたことを、制御部２１に通知する（Ｓ１０５）。制御部２１は、カートリッジセンサ２４からの通知を受けて、フラグ保持部２２のフラグ値をチェックする（Ｓ１０６）。制御部２１は、フラグ保持部２２のフラグ値が「１」のとき、印字位置調整部６にスキャンバックアライメントを実行させずに終了する。フラグ保持部２２のフラグ値が「０」のとき、制御部２１は、印字位置調整部６にスキャンバックアライメントを実行させる（Ｓ１０７）。
【００１４】
本実施形態によれば、操作者が電源パワーキー２とコピーキー３とを同時に押し下げることで、カートリッジ５を交換した後にスキャンバックアライメントを作動させないことができる。これにより、工場出荷前の製品チェック時において、カートリッジ５が交換されたとき、製品チェック時に不要なスキャンバックアライメントが作動しないため、スキャンバックアライメントが終了するまでの作業待ち時間が生じることがない。従って、作業効率の悪化を防ぐことができる。
【００１５】
なお、本発明は、上記実施形態の構成に限られず、種々の変形が可能であり、例えば、スキャンバックアライメントを禁止する禁止モードを設定するため操作として、電源パワーキー２と任意の操作キーとの特定の組合せとすればよく、例えば、スキャンキー４とを同時に押し下げる構成としてもよく、又は電源パワーキー２と、コピーキー３と、スキャンキー４とを同時に押し下げる構成としても構わない。
【図面の簡単な説明】
【００１６】
【図１】本発明の一実施形態に係るプリンタ装置の概略構成図。
【図２】同プリンタ装置のブロック構成図。
【図３】同プリンタ装置の動作フロー。
【符号の説明】
【００１７】
１  プリンタ
２  電源パワーキー
３  コピーキー（操作キー）
４  スキャンキー（操作キー）
５  カートリッジ
６  印字位置調整部
７  原稿台
８  印字用紙
９  排紙口
２１  制御部（制御装置）
２２  フラグ保持部
２３  操作部
２４  カートリッジセンサ
【図１】
2006346978.tif 000003
【図２】
2006346978.tif 000004
【図３】
2006346978.tif 000005